(57)【特許請求の範囲】
【請求項１】
錐体形状の香材料を頂部を下方に向けて載置する際に上記香材料の側部と複数の点で当接して上記香材料を保持する香材料保持部と、被取り付け位置の部材に固着される取り付け部材とを具備することを特徴とする香台。
【請求項２】
上記香材料保持部には、香材料を保持する穴が形成される請求項１記載の香台。
【請求項３】
上記取り付け部材は、上記被取り付け位置の部材を挟み付ける形状に屈曲するように加工された請求項１または２記載の香台。
【請求項４】
矩形形状の金属製板部材に、その長手方向一端側に少なくとも１８０度を超える曲率半径の弧状の当接部を設け、錐体形状の香材料の側部が当該当接部に当接するようにし、さらに上記長手方向他端に上記長手方向とほぼ直交する方向の少なくとも２つの線分に沿って曲折補助加工を行った香台用部材。
【請求項５】
上記取り付け部材は磁石を含む請求項１または２記載の香台。
【請求項６】
上記取り付け部材は吸着部を含む請求項１または２記載の香台。
【発明の詳細な説明】
【０００１】
【発明の属する技術分野】
この発明は、香材料を保持する香台に関する。
【０００２】
【従来の技術】
従来、香を焚くための香台が提供されている。例えば、図１０に示すように、円錐形の香を載置するような香台が提供されている。しかしながら、この香台を車の中など振動を伴う環境で使用すると、香が香台から落下し、火災の危険があった。
【０００３】
また、香台を置く適切な平坦な場所が用意できない場合にも安心して香を焚くことができるようにすることも望まれる。
【０００４】
【発明が解決する課題】
この発明は以上の事情を考慮してなされたものであり、通常の香台を安定して配置することができない場合にも、安全に香を載置することができる香台を提供することを目的としている。
【０００５】
【課題を解決するための手段】
この発明によれば、上述の目的を達成するために、香台に、被取り付け位置の部材に固着される取り付け部材と、上記取り付け部材と一体に形成された香材料保持部とを設けるようにしている。
【０００６】
この構成においては、香台を安定して取り付けることができる。
【０００７】
また、この構成において、上記香材料保持部には、香材料を保持する穴が形成するようにしてもよい。また、この穴は、円錐形の香材料の円形の底面の直径より小さな直径の円形の穴とすることができる。
【０００８】
また、上記香材料保持部には、円錐形の香材料の斜面に当接する当接部を設け、上記当節部により上記円錐状の香材料を保持するようにしてもよい。
【０００９】
また、この発明によれば、上述の目的を達成するために、香台用部材に、被取り付け位置の部材に固着される取り付け部を構成するように加工された第１の部分と、香材料を保持するように加工された第２の部分とを設けるようにしている。
【００１０】
この構成によれば、第１の部材から取り付け部を形成し、この取り付け部を利用して香台本体を所定個所に取り付け、この後第２の部分を利用して香材料を安定して保持することができる。
【００１１】
この構成において、上記第１の部分は、上記被取り付け位置の部材を挟み付ける形状に屈曲するように加工されるようにしてもよい。もちろん、容易に屈曲する材質のものを用いる場合には、屈曲を容易にする加工を施さなくてもよい。場合によっては、屈曲位置を表わす線分等の表示をプリントしてもよい。また、上記第２の部分は円錐形の香材料の円形の底面の直径より小さな直径の円形の穴を有するようにしてもよい。
【００１２】
また、この発明によれば、上述目的を達成するために、矩形形状の金属製板部材に、その長手方向一端側に少なくとも１８０度を超える曲率半径の弧状の当接部を設け、円すい形の香材料の斜面が当接するようにし、さらに上記長手方向他端に上記長手方向とほぼ直交する方向の少なくとも２つの線分に沿って曲折補助加工を行って香台用部材を構成している。
【００１３】
この構成においても、上述の２つの線分に沿って曲折を行って、香台本体を所定個所に確実に取り付け、これにより香材料を安定して保持することができる。
【００１４】
この構成において、上記当接部は円形の穴とすることができる。また、上記曲折補助加工は金属製板部材に溝を形成する処理とすることができる。また上記金属製板部材はアルミニウム製とすることができる。
【００１５】
また、上記取り付け部材は磁石を含むようにしてもよく、吸着部を含むようにしてもよい。
【００１６】
【発明の実施の態様】
以下、この発明の実施例について図面を参照して説明する。
【００１７】
図１は、この発明の実施例を示すものであり、この図において、香台１１は例えばアルミニウム製の板部材から構成されたものであり、その一端が香保持部１１ａになっており、この香保持部１１ａに穴１２が形成されている。穴１２は香２０を保持するためのものであり（図３参照）、穴１２の直径は香２０の大きさに応じて適宜選択することができる。通常図示の円錐形の香２０の底面の直径は１０ミリ以下であるので、それより小さく、例えば５ミリとする。要するに、円錐形の香２０がそのまま落下してしまうほど大きくはなく、また香２０が浅く載置されるだけで不安定となるほど小さくはないようにする。また、香台１１の他端は取り付け部１１ｂになっており、この取り付け部１１ｂには曲折部１３が設けられている。この曲折部１３は、取り付け位置の板部材、例えば、車の灰皿（引き出し式）の壁部にはめ込むようになっている。
【００１８】
図２は、香台１１を制作するための板部材１０を示しており、この図において、この板部材１０には穴１２および屈曲ガイド溝１４、１５、１６が形成されている。屈曲ガイド溝１４、１５、１６は板部材１０を屈曲しやすくするためのものであり、板部材１０のどちらの面に形成されてもよい。また屈曲ガイド溝１４、１５、１６にかえてミシン目を穿設するようにしてもよい。
【００１９】
通常は、板部材１０の状態で独立にまたは香と一体にパッケージングされて取り引きされ、利用者は屈曲ガイド溝１４、１５、１６に沿って板部材１０を折り曲げ、香台１１を形成して利用する。
【００２０】
図３は香台１１の利用の仕方を示しており、この図において、香台１１の屈曲部１３を車の灰皿３０の壁部３１に嵌め込む。この際、香台１１の穴１２は灰皿３０の内部に配置するようにする。つぎに、頂点部分に点火した香２０を香台１１の穴１２に配置する。この後、香２０は徐々に燃焼していき、香の香りが広がっていく。このとき生じる灰は灰皿３０に落ち、車の内部が汚れることがない。
【００２１】
この構成によれば、香台１１はその屈曲部１３により灰皿３０の壁部３１に確実に固定され、振動があっても落下することがなく、香２０を安全に保持することができる。また、かりに香２０が香台１１から落下してもその下には灰皿３０があるので、火災等の危険を回避できる。
【００２２】
なお、この発明は上述の実施例に限定されるものではなく、その趣旨を逸脱しない範囲で種々変更できることはもちろんである。
【００２３】
たとえば、穴１２の形状は香の形状に応じて種々の形状にすることができる。例えば、四角錐の香の場合には四角形の穴としてもよい。もちろん、四角形の穴で円錐形の香を保持することもできる。
【００２４】
また、線香タイプの香を利用する場合には、小さな穴を用いることができ、例えば、図４に示すように、円錐形の香に用いる穴１２のほかに線香タイプの香を保持する穴１２ａを同時に設けるようにしてもよい。このようにすれば、どちらのタイプの香を用いる場合でも同一の板部材１０を用いることができ、製造コストが削減できる。いずれの穴も完全に打ち抜いたものでなくともよく、利用者が若干力を加えれば穴が形成されるようなものでもよい。
【００２５】
また、図５および第６図に示すように、屈曲部１３側の先端の幅を細くして弾力を持たせるようにしてもよい。この場合、リブ１３ａを設けることにより、取り付けを強固に行えるようにしてもよい。
【００２６】
また、香台２０の香を保持する側の形状を図７に示すようにしてもよい。すなわち実質的にループを形成する線状の金属部材４１で香２０を保持するようにしてもよい。
【００２７】
また、図８に示すように、ゴム等からなる吸着部４２を設けて平滑面に取り付けるようにしてもよいし、第９図に示すように磁石４３を用いてスチール製の壁面等に取り付けるようにしてもよい。またシガレットライタのような形状にしてシガレットライタ用の装着部（電極）に装着してもよい。この場合、シガレットライタと同様に電熱部を内蔵させ、この熱を利用して香の温度を１２０度程度に保持して（熱伝導の小さな部材たとえば石綿を介して香を電熱部に接触させる）香の成分を飛散させるようにしてもよい。
【００２８】
さらに、上述香台の取り付け個所は、車の灰皿に限られるわけではなく、要するに、屈曲部、吸着部、磁石等等、種々の取り付け手段の機能に応じて取り付け可能な個所であればよく、オフィスや住居等の屋内や、屋外の種々の設備であってよい。
【００２９】
また、上述実施例で開示された具体的な仕様について整理することにする。この具体的な仕様においては、香台に、角が丸められた舌片部分と、上記舌片部分に形成された香材料保持用の穴と、上記舌片部分と一体に形成されコ字状に屈曲され角が丸められた屈曲部分とを設けるようにしている。
【００３０】
また、上述の具体的な仕様は、香台を形成するための香台用部材において、板状の本体に、香材料を保持する穴と少なくとも２つの平行な線状の屈曲用ガイドを設け、かつ上記本体の角が丸められたたことを特徴としている。この場合、上記板状の本体の、上記屈曲用ガイド側の端部の幅を細くし、かつ上記端部にリブを設けるようにしてもよい。
【００３１】
【発明の効果】
以上説明したように、この発明によれば、香を安定に保持することができる。
【図面の簡単な説明】
【図１】  この発明の実施例の香台を示す斜視図である。
【図２】  図１の香台を構成する板部材を示す斜視図である。
【図３】  図１の香台の使用態様を説明する斜視図である。
【図４】  上述実施例の変形例を説明する図である。
【図５】  上述実施例の変形例を説明する図である。
【図６】  上述実施例の変形例を説明する図である。
【図７】  上述実施例の変形例を説明する図である。
【図８】  上述実施例の変形例を説明する図である。
【図９】  上述実施例の変形例を説明する図である。
【図１０】  従来の香台を説明する図である。
【符号の説明】
１０    板部材
１１    香台
１１ａ    香保持部
１１ｂ    取り付け部
１２、１２ａ    穴
１３    屈曲部
２０    香
３０    灰皿
４１    線状の金属部材
４２    吸着部材
４３    磁石
【図１】
0004016448.tif 000002
【図２】
0004016448.tif 000003
【図３】
0004016448.tif 000004
【図４】
0004016448.tif 000005
【図５】
0004016448.tif 000006
【図６】
0004016448.tif 000007
【図７】
0004016448.tif 000008
【図８】
0004016448.tif 000009
【図９】
0004016448.tif 000010
【図１０】
0004016448.tif 000011